(57)【特許請求の範囲】
【請求項１】
主伝送装置と、代替伝送装置と、を具備する冗長ペアであって、
前記主伝送装置は、第１対向装置通信部と、第１冗長ペア通信部と、第１外部装置通信部と、前記主伝送装置の状態を実行状態または待機状態のいずれかに決定する主伝送装置状態決定部と、を具備し、
前記代替伝送装置は、第２対向装置通信部と、第２冗長ペア通信部と、第２外部装置通信部と、前記主伝送装置状態決定部が前記主伝送装置の状態を実行状態と決定すると前記代替伝送装置の状態を待機状態と決定し、前記主伝送装置状態決定部が前記主伝送装置の状態を待機状態と決定すると前記代替伝送装置の状態を実行状態と決定する代替伝送装置状態決定部と、を具備し、
前記第１対向装置通信部と前記第２対向装置通信部とは、外部装置宛の信号を複製して得られる同一の信号を前記第１対向装置通信部と前記第２対向装置通信部とに送信する送信側対向装置と通信可能であり、
前記第１冗長ペア通信部は、前記主伝送装置状態決定部が前記主伝送装置の状態を待機状態と決定すると、前記第１対向装置通信部が受信する前記同一の信号を前記第２冗長ペア通信部に送信し、
前記第２冗長ペア通信部は、前記代替伝送装置状態決定部が前記代替伝送装置の状態を待機状態と決定すると、前記第２対向装置通信部が受信する前記同一の信号を前記第１冗長ペア通信部に送信し、
前記第１外部装置通信部は、前記主伝送装置状態決定部が前記主伝送装置の状態を実行状態と決定すると、前記第１対向装置通信部が受信する前記同一の信号と、前記第１冗長ペア通信部が受信する前記同一の信号とのうち、エラーを検出されないほうの信号を前記外部装置に送信し、
前記第２外部装置通信部は、前記代替伝送装置状態決定部が前記代替伝送装置の状態を実行状態と決定すると、前記第２対向装置通信部が受信する前記同一の信号と、前記第２冗長ペア通信部が受信する前記同一の信号とのうち、エラーを検出されないほうの信号を前記外部装置に送信する
ことを特徴とする冗長ペア。
【請求項２】
前記第１冗長ペア通信部は、前記主伝送装置状態決定部が前記主伝送装置の状態を実行状態と決定すると、前記第１外部装置通信部が前記外部装置から受信する信号を前記第２冗長ペア通信部に送信し、
前記第２冗長ペア通信部は、前記代替伝送装置状態決定部が前記代替伝送装置の状態を実行状態と決定すると、前記第２外部装置通信部が前記外部装置から受信する信号を前記第１冗長ペア通信部に送信し、
前記第１対向装置通信部は、前記主伝送装置状態決定部が前記主伝送装置の状態を実行状態と決定すると、前記第１外部装置通信部が前記外部装置から受信する信号を、複数の受信信号のうちエラーの検出されないほうの信号を当該信号の宛先に送信可能な受信側対向装置に送信し、前記主伝送装置状態決定部が前記主伝送装置の状態を待機状態と決定すると、前記第１冗長ペア通信部が前記第２冗長ペア通信部から受信する前記外部装置からの信号を前記受信側対向装置に送信し、
前記第２対向装置通信部は、前記代替伝送装置状態決定部が前記代替伝送装置の状態を実行状態と決定すると、前記第２外部装置通信部が前記外部装置から受信する信号を、前記受信側対向装置に送信し、前記代替伝送装置状態決定部が前記代替伝送装置の状態を待機状態と決定すると、前記第２冗長ペア通信部が前記第１冗長ペア通信部から受信する前記外部装置からの信号を前記受信側対向装置に送信する
ことを特徴とする請求項１に記載の冗長ペア。
【請求項３】
前記主伝送装置は、
前記主伝送装置の障害情報を生成する主伝送装置障害情報生成部と、
前記障害情報を送信する第１障害情報通信部と、
を具備し、
前記代替伝送装置は、
前記代替伝送装置の障害情報を生成する代替伝送装置障害情報生成部と、
前記第１障害情報通信部が送信する前記主伝送装置の障害情報を受信する第２障害情報通信部と、
前記第１冗長ペア通信部は、前記主伝送装置の障害情報を送信し、
前記第２冗長ペア通信部は、前記第１冗長ペア通信部の送信する前記主伝送装置の障害情報を受信し、
前記代替伝送装置状態決定部は、前記代替伝送装置の障害情報と、前記第２冗長ペア通信部または前記第２障害情報通信部が受信する前記主伝送装置の障害情報と、予め定められる前記主伝送装置の優先度および前記代替伝送装置の優先度とに基づいて、前記代替伝送装置の状態を決定する
ことを特徴とする請求項１または請求項２に記載の冗長ペア。
【請求項４】
前記主伝送装置は、前記第１冗長ペア通信部が送信する信号のオーバヘッド部分に前記主伝送装置の障害情報を挿入するオーバヘッド挿入部を具備し、
前記代替伝送装置は、前記第２冗長ペア通信部が受信する信号のオーバヘッド部分から前記主伝送装置の障害情報を読み出すオーバヘッド監視部を具備することを特徴とする請求項３に記載の冗長ペア。
【請求項５】
前記代替伝送装置状態決定部は、前記代替伝送装置の状態を待機状態と決定すると、前記第２外部装置通信部が信号を送信しないよう制御する
ことを特徴とする請求項１から４のいずれか１項に記載の冗長ペア。
【請求項６】
主伝送装置と、代替伝送装置と、を具備する冗長ペアの信号伝送方法であって、
前記主伝送装置が、前記主伝送装置の状態を実行状態または待機状態のいずれかに決定する主伝送装置状態決定ステップと、
前記代替伝送装置が、前記主伝送装置状態決定ステップにて前記主伝送装置の状態を実行状態と決定すると前記代替伝送装置の状態を待機状態と決定し、前記主伝送装置状態決定ステップにて前記主伝送装置の状態を待機状態と決定すると前記代替伝送装置の状態を実行状態と決定する代替伝送装置状態決定ステップと、
外部装置宛の信号を複製して得られた同一の信号が対向装置から送信されて前記主伝送装置と前記代替伝送装置とが受信する第１受信ステップと、
前記主伝送装置が、前記主伝送装置状態決定ステップにて前記主伝送装置の状態を待機状態と決定すると、前記第１受信ステップにて受信した前記同一の信号を前記代替伝送装置に送信する第１送信ステップと、
前記代替伝送装置が、前記代替伝送装置状態決定ステップにて前記代替伝送装置の状態を待機状態と決定すると、前記第１受信ステップにて受信した前記同一の信号を前記主伝送装置に送信する第２送信ステップと、
前記主伝送装置が、前記主伝送装置状態決定ステップにて前記主伝送装置の状態を実行状態と決定すると、前記第１受信ステップにて受信した前記同一の信号と、前記第２送信ステップにて前記代替伝送装置から送信される前記同一の信号とのうち、エラーを検出されないほうの信号を前記外部装置に送信する第３送信ステップと、
前記代替伝送装置が、前記代替伝送装置状態決定ステップにて前記代替伝送装置の状態を実行状態と決定すると、前記第１受信ステップにて受信した前記同一の信号と、前記第１送信ステップにて前記代替伝送装置から送信される前記同一の信号とのうち、エラーを検出されないほうの信号を前記外部装置に送信する第４送信ステップと、
を具備することを特徴とする信号伝送方法。
【請求項７】
対向装置通信部と、冗長ペア通信部と、外部装置通信部とを具備する伝送装置の制御部としてのコンピュータに、
当該伝送装置の状態を実行状態または待機状態のいずれかに決定する状態決定ステップと、
前記状態決定ステップにて実行状態と決定したときは、前記対向装置通信部が伝送する信号として前記外部装置通信部が受信する信号を選択し、前記状態決定ステップにて待機状態と決定したときは、前記対向装置通信部が伝送する信号として前記冗長ペア通信部が受信する信号を選択する第１の信号選択ステップと、
前記状態決定ステップにて実行状態と決定したときは、前記冗長ペア通信部が伝送する信号として前記外部装置通信部が受信する信号を選択し、前記状態決定ステップにて待機状態と決定したときは、前記冗長ペア通信部が伝送する信号として前記対向装置通信部が受信する信号を選択する第２の信号選択ステップと
を実行させるためのプログラム。
【発明の詳細な説明】
【技術分野】
【０００１】
本発明は、通信経路が冗長化され、１つの信号を複数の通信経路にて送信する通信ネットワークのノードとして用いられる冗長ペア、当該冗長ペアの信号伝送方法および当該冗長ペアの伝送装置の制御プログラムに関する。
【背景技術】
【０００２】
通信ネットワークの耐障害性を高める技術の１つに、通信経路の冗長化がある。例えば、特許文献１に示される、ＳＮＣ（Sub Network Connection Protection）方式のＳＤＨ（Synchronous Digital Hierarchy）ネットワークは、２重リング型のネットワークを備え、現用系のリングに障害が発生すると、当該現用系のリングと逆周りに信号を送信する予備系のリングを用いて通信を行う。
【０００３】
図１１は、ＳＮＣ方式のＳＤＨネットワークの構成例を示す構成図である。同図のＳＤＨネットワーク１００１は、ＳＤＨ装置１３００および１４００と、これらのＳＤＨ装置を接続する通信路Ｗ１１３４、Ｗ１１４３、Ｗ１２３４およびＷ１２４３を具備する。また、ＳＤＨ装置１３００には、通信路Ｗ１０３６およびＷ１０６３を介して外部装置１６００が接続されている。また、ＳＤＨ装置１４００には、通信路Ｗ１０４７およびＷ１０７４を介して外部装置１７００が接続されている。
ＳＤＨ装置１３００と１４００と、通信路Ｗ１１４３とＷ１２３４とでリング型ネットワークを形成する。そして、このリングと逆周りに信号を送信するリング型ネットワークを、ＳＤＨ装置１３００と１４００と、通信路Ｗ１１３４とＷ１２４３とで形成する。ＳＤＨネットワーク１００１は、外部装置１６００と外部装置１７００との間の通信信号を複製し、これら２つのリングにて伝送する。
【０００４】
図１２は、ネットワーク１００１におけるＳＤＨ装置１３００および１４００の構成例を示す構成図である。
外部装置１６００から送信された通信信号は、通信路Ｗ１０６３を通じてＳＤＨ装置１３００の外部装置通信部１０６３に伝送される。外部装置１６００から送信される信号は、例えばイーサネット信号（イーサネットは登録商標）であり、外部装置通信部１０６３は、当該信号をＳＤＨ信号に変換し、分岐部１３２１に出力する。分岐部１３２１は、外部装置通信部１０６３からのＳＤＨ信号を複製し、対向装置通信部１３１１と１３１２とに出力する。対向装置通信部１３１１は、分岐部１３２１からのＳＤＨ信号を、通信路Ｗ１２３４を介してＳＤＨ装置１４００に送信する。同様に、対向装置通信部１３１２は、分岐部１３２１からのＳＤＨ信号を、通信路Ｗ１１３４を介してＳＤＨ装置１４００に送信する。
【０００５】
ＳＤＨ装置１４００では、対向装置通信部１４１２が、対向装置通信部１３１１からのＳＤＨ信号を受信してセレクタ１４３１に出力する。同様に、対向装置通信部１４１１が、対向装置通信部１３１２からのＳＤＨ信号を受信してセレクタ１４３１に出力する。
セレクタ１４３１は、対向装置１４１１から送信されるＳＤＨ信号と、対向装置１４１２から送信されるＳＤＨ信号とのうち、エラーの検出されない信号を選択して外部通信部１４１３に出力する。外部通信装部１４１３は、セレクタ１４３１からのＳＤＨ信号を、例えばイーサネット信号（イーサネットは登録商標）に変換し、通信路Ｗ１０４７を通じて外部装置１７００に送信する。
外部装置１７００からの信号を外部装置１６００に伝送する際も、分岐部１４２１にて複製して通信路Ｗ１１４３およびＷ１２４３を通じて送信し、セレクタ１３３１にてエラーの検出されない信号を選択し、外部装置通信部１３１３が外部装置１６００に送信する。
【０００６】
このように、ＳＤＨネットワーク１００１は、伝送する信号を複製し、２つのリングにて伝送することによりプロテクション機能を実現している。これにより、対向装置通信部１３１１、１３１２、１４１１、１４１２のいずれか、あるいは、通信路Ｗ１１３４、Ｗ１１４３、Ｗ１２３４、Ｗ１２４３のいすれかに障害が発生しても、伝送サービスを継続できる。
【先行技術文献】
【特許文献】
【０００７】
【特許文献１】特開平９−２３３０８３号公報
【発明の概要】
【発明が解決しようとする課題】
【０００８】
しかしながら、本方式では、ＳＤＨ装置や、ＳＤＨ装置と外部装置との間の通信路に障害が発生した場合に、伝送サービスを継続できなくなってしまう。具体的には、図１２のＳＤＨネットワーク１００１において、外部装置１３１３または１４１３、あるいは、分岐器１３２１または１４２１、あるいは、セレクタ１３３１または１４３１に障害が発生した場合や、通信路Ｗ１０３６、Ｗ１０６３、Ｗ１０４７、Ｗ１０７４のいずれかに障害が発生した場合に、伝送サービスを継続できなくなってしまう。
【０００９】
本発明は、このような事情を考慮してなされたものであり、その目的は、伝送装置（ＳＤＨ装置）や、伝送装置と外部装置との間の通信路に障害が発生した場合にも伝送サービスを提供可能な冗長ペア、信号伝送方法およびプログラムを提供することにある。
【課題を解決するための手段】
【００１０】
この発明は上述した課題を解決するためになされたもので、本発明の一態様による冗長ペアは、主伝送装置と、代替伝送装置と、を具備する冗長ペアであって、前記主伝送装置は、第１対向装置通信部と、第１冗長ペア通信部と、第１外部装置通信部と、前記主伝送装置の状態を実行状態または待機状態のいずれかに決定する主伝送装置状態決定部と、を具備し、前記代替伝送装置は、第２対向装置通信部と、第２冗長ペア通信部と、第２外部装置通信部と、前記主伝送装置状態決定部が前記主伝送装置の状態を実行状態と決定すると前記代替伝送装置の状態を待機状態と決定し、前記主伝送装置状態決定部が前記主伝送装置の状態を待機状態と決定すると前記代替伝送装置の状態を実行状態と決定する代替伝送装置状態決定部と、を具備し、前記第１対向装置通信部と前記第２対向装置通信部とは、外部装置宛の信号を複製して得られる同一の信号を前記第１対向装置通信部と前記第２対向装置通信部とに送信する送信側対向装置と通信可能であり、前記第１冗長ペア通信部は、前記主伝送装置状態決定部が前記主伝送装置の状態を待機状態と決定すると、前記第１対向装置通信部が受信する前記同一の信号を前記第２冗長ペア通信部に送信し、前記第２冗長ペア通信部は、前記代替伝送装置状態決定部が前記代替伝送装置の状態を待機状態と決定すると、前記第２対向装置通信部が受信する前記同一の信号を前記第１冗長ペア通信部に送信し、前記第１外部装置通信部は、前記主伝送装置状態決定部が前記主伝送装置の状態を実行状態と決定すると、前記第１対向装置通信部が受信する前記同一の信号と、前記第１冗長ペア通信部が受信する前記同一の信号とのうち、エラーを検出されないほうの信号を前記外部装置に送信し、前記第２外部装置通信部は、前記代替伝送装置状態決定部が前記代替伝送装置の状態を実行状態と決定すると、前記第２対向装置通信部が受信する前記同一の信号と、前記第２冗長ペア通信部が受信する前記同一の信号とのうち、エラーを検出されないほうの信号を前記外部装置に送信することを特徴とする。
【００１１】
また、本発明の一態様による信号伝送方法は、主伝送装置と、代替伝送装置と、を具備する冗長ペアの信号伝送方法であって、前記主伝送装置が、前記主伝送装置の状態を実行状態または待機状態のいずれかに決定する主伝送装置状態決定ステップと、前記代替伝送装置が、前記主伝送装置状態決定ステップにて前記主伝送装置の状態を実行状態と決定すると前記代替伝送装置の状態を待機状態と決定し、前記主伝送装置状態決定ステップにて前記主伝送装置の状態を待機状態と決定すると前記代替伝送装置の状態を実行状態と決定する代替伝送装置状態決定ステップと、外部装置宛の信号を複製して得られた同一の信号が対向装置から送信されて前記主伝送装置と前記代替伝送装置とが受信する第１受信ステップと、前記主伝送装置が、前記主伝送装置状態決定ステップにて前記主伝送装置の状態を待機状態と決定すると、前記第１受信ステップにて受信した前記同一の信号を前記代替伝送装置に送信する第１送信ステップと、前記代替伝送装置が、前記代替伝送装置状態決定ステップにて前記代替伝送装置の状態を待機状態と決定すると、前記第１受信ステップにて受信した前記同一の信号を前記主伝送装置に送信する第２送信ステップと、前記主伝送装置が、前記主伝送装置状態決定ステップにて前記主伝送装置の状態を実行状態と決定すると、前記第１受信ステップにて受信した前記同一の信号と、前記第２送信ステップにて前記代替伝送装置から送信される前記同一の信号とのうち、エラーを検出されないほうの信号を前記外部装置に送信する第３送信ステップと、前記代替伝送装置が、前記代替伝送装置状態決定ステップにて前記代替伝送装置の状態を実行状態と決定すると、前記第１受信ステップにて受信した前記同一の信号と、前記第１送信ステップにて前記代替伝送装置から送信される前記同一の信号とのうち、エラーを検出されないほうの信号を前記外部装置に送信する第４送信ステップと、を具備することを特徴とする。
【００１２】
また、本発明の一態様によるプログラムは、対向装置通信部と、冗長ペア通信部と、外部装置通信部とを具備する伝送装置の制御部としてのコンピュータに、当該伝送装置の状態を実行状態または待機状態のいずれかに決定する状態決定ステップと、前記状態決定ステップにて実行状態と決定したときは、前記対向装置通信部が伝送する信号として前記外部装置通信部が受信する信号を選択し、前記状態決定ステップにて待機状態と決定したときは、前記対向装置通信部が伝送する信号として前記冗長ペア通信部が受信する信号を選択する第１の信号選択ステップと、前記状態決定ステップにて実行状態と決定したときは、前記冗長ペア通信部が伝送する信号として前記外部装置通信部が受信する信号を選択し、前記状態決定ステップにて待機状態と決定したときは、前記冗長ペア通信部が伝送する信号として前記対向装置通信部が受信する信号を選択する第２の信号選択ステップとを実行させるためのプログラムである。
【発明の効果】
【００１３】
本発明によれば、伝送装置や、伝送装置と外部装置との間の通信路に障害が発生した場合にも伝送サービスを提供できる。
【図面の簡単な説明】
【００１４】
【図１】本発明の一実施形態におけるＳＤＨネットワークの概略構成を示す構成図である。
【図２】同実施形態において、ＳＤＨネットワーク１が、１組の冗長ペアと２台のＳＤＨ装置とを含む概略構成例を示す構成図である。
【図３】同実施形態における二重化ＳＤＨ装置１００の概略構成を示す構成図である。
【図４】同実施形態におけるＳＤＨ装置３００の概略構成を示す構成図である。
【図５】同実施形態において、二重化ＳＤＨ装置１００が実行状態にある場合に、外部装置７００から外部装置６００に送信される信号の経路を示す図である。
【図６】同実施形態において、二重化ＳＤＨ装置１００が実行状態にある場合に、外部装置６００から外部装置７００に送信される信号の経路を示す図である。
【図７】同実施形態において、外部装置通信部１１３に障害が発生した際の、障害情報の流れを示す図である。
【図８】同実施形態において、外部装置通信部１１３に障害が発生した際の、制御情報（状態情報）の流れを示す図である。
【図９】同実施形態において、二重化ＳＤＨ装置２００が実行状態にある場合に、外部装置７００から外部装置６００に送信される信号の経路を示す図である。
【図１０】同実施形態において、二重化ＳＤＨ装置２００が実行状態にある場合に、外部装置６００から外部装置７００に送信される信号の経路を示す図である。
【図１１】ＳＮＣ方式のＳＤＨネットワークの構成例を示す構成図である。
【図１２】ネットワーク１００１におけるＳＤＨ装置１３００および１４００の構成例を示す構成図である。
【発明を実施するための形態】
【００１５】
以下、図面を参照して、本発明の実施の形態について説明する。
図１は、本発明の一実施形態におけるＳＤＨネットワークの概略構成を示す構成図である。同図において、ＳＤＨネットワーク１は、二重化ＳＤＨ装置（主伝送装置）１００と、二重化ＳＤＨ装置（代替伝送装置）２００と、ＳＤＨ装置（対向装置）３００と、二重化ＳＤＨ装置１００と２００とを接続する通信路Ｗ１２およびＷ２１と、二重化ＳＤＨ装置１００とＳＤＨ装置３００とを接続する通信路Ｗ１３およびＷ３１と、二重化ＳＤＨ装置２００とＳＤＨ装置３００とを接続する通信路Ｗ２３およびＷ３２とを具備する。
【００１６】
二重化ＳＤＨ装置１００と２００とで、冗長ペア１０を構成し、ＳＤＨネットワーク１の１つのノードとして機能する。冗長ペアを構成する二重化ＳＤＨ装置１００と２００とのうち、いずれか一方は実行状態（アクト、ＡＣＴ）となって、外部装置６００との間で通信を行う。もう一方は待機状態（スタンバイ、ＳＴＢ）となって、実行状態にある二重化ＳＤＨ装置からの信号をＳＤＨ装置３００に伝送し、ＳＤＨ装置３００からの信号を実行状態にある二重化ＳＤＨ装置に伝送する透過伝送を行う。そして、実行状態にある二重化ＳＤＨ装置に障害が発生すると、実行状態の二重化ＳＤＨ装置が待機状態になり、待機状態にあった二重化ＳＤＨ装置が実行状態になって信号の伝送を継続する。
一方ＳＤＨ装置１００は一般的なＳＤＨ装置であり、１台でＳＤＨネットワークの１つのノードとして機能する。
【００１７】
また、二重化ＳＤＨ装置１００、２００には、それぞれ、通信路Ｗ１６およびＷ６１、通信路Ｗ２６およびＷ６２を介して、外部装置６００が接続されている。また、ＳＤＨ装置３００には、通信路Ｗ３７およびＷ７３を介して外部装置７００が接続されている。
冗長ペア１０と外部装置６００と、および、ＳＤＨ装置３００と外部装置７００とは、それぞれイーサネット（登録商標）で接続されており、ＳＤＨネットワーク１は、外部装置６００および７００に対してイーサネット伝送サービス（イーサネットは登録商標）を提供する。
【００１８】
また、二重化ＳＤＨ装置１００および２００と、ＳＤＨ装置３００と、通信路Ｗ１２、Ｗ２３およびＷ３１とで、リング型ネットワークを形成する。そして、このリングと逆周りに信号を送信するリング型ネットワークを、二重化ＳＤＨ装置１００および２００と、ＳＤＨ装置３００と、通信路Ｗ２１、Ｗ１３およびＷ３２とで形成する。ＳＤＨネットワーク１は、外部装置６００と外部装置７００との間の通信信号を複製し、これら２つのリングにて伝送することによりプロテクション（切換）機能を実現する。
【００１９】
なお、ＳＤＨネットワーク１のノードとして当該ネットワークを構成する冗長ペアの数は、図１に示す１組に限らず、２組以上であってもよい。また、ＳＤＨネットワーク１のノードとして当該ネットワークを構成するＳＤＨ装置の数も、図１に示す１台に限らず、ＳＤＨネットワーク１がネットワークとして機能するようノードが２つ以上、すなわち、冗長ペアとＳＤＨ装置とを併せて２つ以上であればよい。例えば、ＳＤＨネットワーク１が、図１のＳＤＨ装置３００に代えて冗長ペアを具備するようにしてもよい。あるいは、図２に示すように、ＳＤＨネットワーク１が、図１の構成からさらに１台のＳＤＨ装置を具備するようにしてもよい。
【００２０】
図２は、ＳＤＨネットワーク１が、１組の冗長ペアと２台のＳＤＨ装置とを含む概略構成例を示す構成図である。同図では、二重化ＳＤＨ装置１００および２００と、ＳＤＨ装置３００および４００と、通信路Ｗ１２、Ｗ２４、Ｗ４３およびＷ３１とで、リング型ネットワークを形成する。そして、このリングと逆周りに信号を送信するリング型ネットワークを、二重化ＳＤＨ装置１００および２００と、ＳＤＨ装置３００および４００と、通信路Ｗ２１、Ｗ１３、Ｗ３４およびＷ４２とで形成する。ＳＤＨネットワーク１は、外部装置６００と７００と８００との間の通信信号を複製し、これら２つのリングにて伝送することによりプロテクション機能を実現する。
【００２１】
例えば、外部装置８００からの通信信号を、二重化ＳＤＨ装置１００を通じて外部装置６００に伝送する場合、外部装置８００からの通信信号をＳＤＨ装置４００が複製し、通信路Ｗ４３、ＳＤＨ装置３００、通信路Ｗ３１、二重化ＳＤＨ装置１００の順に伝送する経路と、ＳＤＨ装置４００から通信路Ｗ４２、二重化ＳＤＨ装置２００、通信路Ｗ２１、二重化ＳＤＨ装置１００の順に伝送する経路との両方にて通信信号を伝送する。
【００２２】
次に、図３を参照して二重化ＳＤＨ装置１００の内部の構成について説明する。
図３は、二重化ＳＤＨ装置１００の概略構成を示す構成図である。二重化ＳＤＨ装置１００は、対向装置通信部（第１対向装置通信部）１１１と、冗長ペア通信部（第１冗長ペア通信部）１１２と、外部装置通信部（第１外部装置通信部）１１３と、分岐器１２１および１２２および１２３と、セレクタ１３１および１３２および１３３と、オーバヘッド（Overhead；ＯＨ）監視部１６１と、オーバヘッド挿入部１６２と、障害情報生成部（主伝送装置障害情報生成部）１７１と、障害情報通信部（第１障害情報通信部）１７２と、状態決定部（主伝送装置状態決定部）１７３とを具備する。外部装置通信部１１３は、送受信部１１７と、イーサネット終端器１１６（イーサネットは登録商標）と、ＶＣＡＴ終端器１１５と、ＶＣパス終端器１１４とを具備する。
【００２３】
外部装置通信部１１３は、外部装置との間で通信を行う。本実施形態では、外部装置通信部１１３は、外部装置６００とイーサネット（登録商標）にて接続されて通信を行う。
送受信部１１７は、外部装置からの信号を受信してイーサネット終端器１１６（イーサネットは登録商標）に出力する。また、送受信部１１７は、イーサネット終端器１１６（イーサネットは登録商標）から出力される信号を外部装置に送信する。
イーサネット終端器１１６（イーサネットは登録商標）は、外部装置から送信されるイーサネット信号（イーサネットは登録商標）を終端し、終端した信号をＶＣＡＴ終端器１１５に出力する。また、イーサネット終端器１１６（イーサネットは登録商標）は、ＶＣＡＴ終端器１１５から出力される信号をイーサネット信号（イーサネットは登録商標）に変換して送受信部１１７に出力する。
【００２４】
ＶＣＡＴ終端器１１５は、イーサネット終端器１１６（イーサネットは登録商標）から出力される信号を、ＶＣＡＴ信号にマッピングしてＶＣパス終端器１１４に出力する。また、ＶＣＡＴ終端器１１５は、ＶＣパス終端器１１４から出力されるＶＣＡＴ信号をデマッピングしてイーサネット終端器１１６（イーサネットは登録商標）に出力する。
ＶＣパス終端器１１４は、ＶＣＡＴ終端器１１５から出力されるＶＣＡＴ信号をＶＣＡＴを構成するＶＣパスにマッピングしてＳＤＨ信号を生成し、生成したＳＤＨ信号を分岐器１２３に出力する。また、ＶＣパス終端器１１４は、セレクタ１３３から出力されるＳＤＨ信号をデマッピングし、得られるＶＣＡＴ信号をＶＣＡＴ終端器１１５に出力する。
なお、後述するように、外部装置通信部１１３は、二重化ＳＤＨ装置１００が待機状態にある場合はシャットダウンして外部装置６００と通信を行わない。一方、二重化ＳＤＨ装置１００が実行状態となると、外部装置通信部１１３は起動して外部装置６００と通信可能となる。
【００２５】
対向装置通信部１１１は、対向装置との間で通信を行う。すなわち、対向装置通信部１１１は、セレクタ１３１から出力されるＳＤＨ信号を対向装置に送信し、また、対向装置から送信されるＳＤＨ信号を、分岐器１２１に出力する。なお、ここでいう対向装置とは、当該二重化ＳＤＨ装置１００に接続される外部装置の通信相手となっている外部装置が接続されるＳＤＨ装置あるいは二重化ＳＤＨ装置である。例えば、図１では、二重化ＳＤＨ装置１００の対向装置はＳＤＨ装置３００である。また、図２では、外部装置６００が外部装置７００と通信を行っているときは、二重化ＳＤＨ装置１００の対向装置はＳＤＨ装置３００である。一方、図２において、外部装置６００が外部装置８００と通信を行っているときは、二重化ＳＤＨ装置１００の対向装置はＳＤＨ装置４００である。
【００２６】
冗長ペア通信部１１２は、当該二重化ＳＤＨ装置１００と冗長ペア１０を構成する二重化ＳＤＨ装置２００との間で通信を行う。すなわち、冗長ペア通信部１１２は、オーバヘッド挿入部１６２から出力される、障害情報の挿入されたＳＤＨ信号を、二重化ＳＤＨ装置２００に送信し、また、二重化ＳＤＨ装置２００から送信されるＳＤＨ信号（二重化ＳＤＨ装置２００の障害情報がオーバヘッド部分に挿入されたＳＤＨ信号）を、オーバヘッド監視部１６１に出力する。
【００２７】
分岐器１２１は、対向装置通信部１１１から出力されるＳＤＨ信号を、セレクタ１３３と、セレクタ１３２とに出力する。分岐器１２２は、オーバヘッド監視部１６１から出力されるＳＤＨ信号を、セレクタ１３１と、セレクタ１３３とに出力する。分岐器１２３は、ＶＣパス終端器１１４から出力されるＳＤＨ信号を、セレクタ１３１と１３２とに出力する。
【００２８】
セレクタ１３１は、状態決定部１７３の決定する当該二重化ＳＤＨ装置１００の状態に基づいて、二重化ＳＤＨ装置１００が実行状態にあるときは、分岐器１２３からのＳＤＨ信号を対向装置通信部１１１に出力する。一方、二重化ＳＤＨ装置１００が待機状態にあるときは、セレクタ１３１は、分岐器１２２からのＳＤＨ信号を対向装置通信部１１１に出力する。
これにより、セレクタ１３１は、二重化ＳＤＨ装置１００が実行状態にあるときは、当該二重化ＳＤＨ装置１００が外部装置から受信した信号を対向装置に向けて伝送し、二重化ＳＤＨ装置１００が待機状態にあるときは、冗長ペアを構成する他の二重化ＳＤＨ装置（本実施形態では二重化ＳＤＨ装置２００）が外部装置から受信した信号を対向装置に向けて伝送する。
【００２９】
セレクタ１３２は、状態決定部１７３の決定する当該二重化ＳＤＨ装置１００の状態に基づいて、二重化ＳＤＨ装置１００が実行状態にあるときは、分岐器１２３からのＳＤＨ信号をオーバヘッド挿入部１６２に出力する。一方、二重化ＳＤＨ装置１００が待機状態にあるときは、セレクタ１３２は、分岐器１２１からのＳＤＨ信号をオーバヘッド挿入部１６２に出力する。
これにより、セレクタ１３２は、二重化ＳＤＨ装置１００が実行状態にあるときは、当該二重化ＳＤＨ装置１００が外部装置から受信した信号を、冗長ペアを構成する他の二重化ＳＤＨ装置に向けて伝送し、二重化ＳＤＨ装置１００が待機状態にあるときは、対向装置から受信した信号を冗長ペアを構成する他の二重化ＳＤＨ装置に向けて伝送する。
この、セレクタ１３１とセレクタ１３２との信号の選択により、後述するように、二重化ＳＤＨ装置１００は、当該二重化ＳＤＨ装置１００が実行状態にあるときは、外部装置との間で通信を行い、待機状態にあるときは、冗長ペアを構成する他の二重化ＳＤＨ装置と対向装置との間の通信信号を伝送する。
また、セレクタ１３３は、分岐器１２１からのＳＤＨ信号と、分岐器１２２からのＳＤＨ信号とに対してエラーチェックを行い、いずれかエラーを検出しないほうのＳＤＨ信号をＶＣパス終端器１１４に出力する。
【００３０】
障害情報生成部１７１は、外部装置通信部１１３と、分岐器１２３と、セレクタ１３３との障害の有無を随時監視する。これら、外部装置通信部１１３と、分岐器１２３と、セレクタ１３３とは、二重化されていない信号を扱う部分であり、いずれかに障害が発生すると外部装置に対して伝送サービスの提供が出来なくなってしまうおそれがある。そこで、障害情報生成部１７１は、これらの障害の有無を監視する。
さらに、障害情報生成部１７１は、外部装置通信部１１３と外部装置６００との間の通信路における障害の有無を随時監視する。例えば、外部装置通信部１１３から外部装置６００に対して定期的に信号を送信し、外部装置６００からの返信の有無により、障害情報生成部１７１が、通信路における障害の有無を判定する。
そして、障害情報生成部１７１は、障害の有無を示す障害情報を生成し、障害情報通信部１７２と、状態決定部１７３と、オーバヘッド挿入部１６２とに出力する。
なお、障害情報生成部１７１が他の部分の障害の有無も監視するようにしてもよい。例えば、分岐器１２２に障害が発生した場合、直ちに外部装置に対する伝送サービスの提供が不可能とはならないが、この障害を検出して二重化ＳＤＨ装置１００を待機状態とすることにより、二重化ＳＤＨ装置１００の修理または交換を、よりスムーズに行える。
【００３１】
障害情報通信部１７２は、障害情報生成部１７１から出力される障害情報を、二重化ＳＤＨ装置２００（当該二重化ＳＤＨ装置１００と冗長ペア１０を構成する相手）に送信する。
状態決定部１７３は、当該二重化ＳＤＨ装置１００の障害情報を障害情報生成部１７１から取得し、また、二重化ＳＤＨ装置２００の障害情報を、障害情報通信部１７２と、オーバヘッド監視部１６１とから取得する。ここで、状態決定部１７３が障害情報通信部１７２から取得する障害情報と、オーバヘッド監視部１６１から取得する障害情報とは、同一の障害情報が二重に送信されたものである。
そして、状態決定部１７３は、予め定められたＡＣＴ優先度情報と、二重化ＳＤＨ装置１００の障害情報と、二重化ＳＤＨ装置２００の障害情報とに基づいて、当該二重化ＳＤＨ装置１００の状態を、実行状態または待機状態のいずれかに決定する。ここで、ＡＣＴ優先度情報は、冗長ペアのいずれを優先的に実行状態とするかを示す情報である。
【００３２】
例えば、ＡＣＴ優先度情報により、二重化ＳＤＨ装置１００を優先的に実行状態にするよう設定されている場合、状態決定部１７３は、二重化ＳＤＨ装置１００、２００共に障害が発生していない場合は、二重化ＳＤＨ装置１００を実行状態する（したがって、二重化ＳＤＨ装置２００を待機状態とする）。
一方、二重化ＳＤＨ装置１００、２００のいずれかに障害が発生している場合、状態決定部１７３は、障害が発生していないほうの二重化ＳＤＨ装置を実行状態とし、他方を待機状態とする。
なお、二重化ＳＤＨ装置２００においても、状態決定部２７３が同様に状態決定を行い、二重化ＳＤＨ装置１００と２００のうち、いずれか一方が実行状態にあり、他方が待機状態にあるようにする。あるいは、二重化ＳＤＨ装置１００が決定した状態を二重化ＳＤＨ装置２００に送信するようにしてもよい。
【００３３】
そして、状態決定部１７３は、決定した状態を示す状態情報を生成して、セレクタ１３１および１３２と、オーバヘッド挿入部１６２と、外部装置通信部１１３とに出力する。
【００３４】
オーバヘッド挿入部１６２は、障害情報生成部１７１から出力される当該二重化ＳＤＨ装置１００の障害情報（通信路の障害情報を含む。以下同様）を、セレクタ１３２から出力されるＳＤＨ信号のオーバヘッド部分に挿入し、障害情報を挿入したＳＤＨ信号を冗長ペア通信部１１２に出力する。
オーバヘッド監視部１６１は、冗長ペア通信部１１２から出力されるＳＤＨ信号を、分岐器１２２に出力する。また、オーバヘッド監視部１６１は、当該ＳＤＨ信号のオーバヘッド部分から、二重化ＳＤＨ装置２００の状態情報を読み出して、状態決定部１７３に出力する。
なお、二重化ＳＤＨ装置２００の構成は、二重化ＳＤＨ装置１００の構成と同様であり、説明を省略する。
なお、二重化ＳＤＨ装置２００において、対向装置通信部２１１が第２対向装置通信部に該当し、冗長ペア通信部２１１が第２冗長ペア通信部に該当し、外部装置通信部２１３が第２外部装置通信部に該当し、障害情報生成部２７１が代替伝送装置障害情報生成部に該当し、障害情報通信部２７２が第２障害情報通信部に該当し、状態決定部２７３が代替伝送装置状態決定部に該当する。
【００３５】
次に、図４を参照して、ＳＤＨ装置３００の内部の構成について説明する。
図４は、ＳＤＨ装置３００の概略構成を示す構成図である。
ＳＤＨ装置３００は、対向装置通信部３１１および３１２と、外部装置通信部３１３と、分岐器３２１と、セレクタ３３１とを具備する。外部装置通信部３１３は、送受信部３１７と、イーサネット終端器３１６（イーサネットは登録商標）と、ＶＣＡＴ終端器３１５と、ＶＣパス終端器３１４とを具備する。
外部装置通信部３１３は、外部装置との間で通信を行う。送受信部３１７と、イーサネット終端器３１６（イーサネットは登録商標）と、ＶＣＡＴ終端器３１５と、ＶＣパス終端器３１４とは、それぞれ、図３の送受信部１１７と、イーサネット終端器１１６（イーサネットは登録商標）と、ＶＣＡＴ終端器１１５と、ＶＣパス終端器１１４と同様であり、説明を省略する。
分岐器３２１は、ＶＣパス終端器３１４から出力されるＳＤＨ信号を、対向装置通信部３１１と３１２とに出力する。対向装置通信部３１１と３１２とは、分岐部３２１から出力される同一のＳＤＨ信号を、同一の対向装置に対して各々送信する。すなわち、分岐器３２１と、対向装置通信部３１１と、対向装置通信部３１２とで、外部装置通信部３１３から出力されるＳＤＨ信号を二重化して対向装置に送信する。
セレクタ３３１は、対向装置通信部３１１からのＳＤＨ信号と、対向装置通信部３１２からのＳＤＨ信号とに対してエラーチェックを行い、いずれかエラーを検出しないほうのＳＤＨ信号をＶＣパス終端器３１４に出力する。
【００３６】
次に、図５および図６を参照して、二重化ＳＤＨ装置１００が実行状態にある（したがって、二重化ＳＤＨ装置２００は待機状態にある）場合の、通信信号の経路について説明する。
図５は、二重化ＳＤＨ装置１００が実行状態にある場合に、外部装置７００から外部装置６００に送信される信号の経路を示す図である。
外部装置７００から外部装置６００宛ての信号が送信されると、外部装置通信部３１３が当該信号を受信して分岐器３２１に出力する。分岐器３２１は、外部装置通信部３１３からの信号を複製して対向装置通信部３１１と３１２とに出力し、対向装置３１１と３１２とは、分岐器３２１からの信号を各々二重化ＳＤＨ装置１００と二重化ＳＤＨ装置２００とに送信する。
対向装置通信部３１１から送信される信号は、対向装置通信部１１１が受信して、分岐器１２１に出力する。分岐器１２１は、対向装置通信部１１１からの信号をセレクタ１３３（とセレクタ１３２と）に出力する。
【００３７】
一方、対向装置通信部３１２から送信される信号は、対向装置通信部２１１が受信し、分岐器２２１、セレクタ２３２の順に伝送される。ここで、二重化ＳＤＨ装置２００は待機状態にあるので、セレクタ２３２は、分岐器２２１からの信号をオーバヘッド挿入部２６２に出力する。オーバヘッド挿入部２６２は、セレクタ２３２からの信号を冗長ペア通信部２１２に出力し、冗長ペア通信部２１２は、当該信号を二重化ＳＤＨ装置１００に送信する。
冗長ペア通信部２１２から送信される信号は、冗長ペア通信部１１２が受信し、オーバヘッド監視部１６１、分岐器１２２、セレクタ１３３の順に伝送される。
セレクタ１３３は、分岐器１２１からのＳＤＨ信号と、分岐器１２２からのＳＤＨ信号とに対してエラーチェックを行い、いずれかエラーを検出しないほうのＳＤＨ信号を外部装置通信部１１３に出力する。外部装置通信部１１３は、セレクタ１３３からの信号を、外部装置６００に送信する。
【００３８】
このように、外部装置７００から送信された信号は、ＳＤＨ装置３００、通信路Ｗ３１、二重化ＳＤＨ装置１００の順に送信される経路と、ＳＤＨ装置３００、通信路Ｗ３２、二重化ＳＤＨ装置２００、通信路Ｗ２１、二重化ＳＤＨ装置１００の順に送信される経路とを用いて二重に送信される。
この、ＳＤＨ装置３００、通信路Ｗ３１、二重化ＳＤＨ装置１００の順に送信される経路は、図１で説明した、二重化ＳＤＨ装置１００および２００と、ＳＤＨ装置３００と、通信路Ｗ１２、Ｗ２３およびＷ３１とで形成するリング型ネットワークの一部をなす。また、ＳＤＨ装置３００、通信路Ｗ３２、二重化ＳＤＨ装置２００、通信路Ｗ２１、二重化ＳＤＨ装置１００、の順に送信される経路は、図１で説明した、二重化ＳＤＨ装置１００および２００と、ＳＤＨ装置３００と、通信路Ｗ２１、Ｗ１３およびＷ３２とで形成するリング型ネットワークの一部をなす。
すなわち、ＳＤＨネットワーク１は、外部装置６００と外部装置７００との間の通信信号を複製し、これら２つのリングにて伝送することによりプロテクション機能を実現している。
【００３９】
図６は、二重化ＳＤＨ装置１００が実行状態にある場合に、外部装置６００から外部装置７００に送信される信号の経路を示す図である。
外部装置６００から外部装置７００宛ての信号が送信されると、外部装置通信部１１３が当該信号を受信して分岐器１２３に出力する。分岐器１２３は、外部装置通信部１１３からの信号を複製してセレクタ１３１とセレクタ１３２とに出力する。
ここで、二重化ＳＤＨ装置１００は実行状態にあるので、セレクタ１３１は、分岐部１２３からの信号を対向装置通信部１１１に出力する。対向装置通信部１１１は、セレクタ１３１からの信号をＳＤＨ装置３００に送信する。
対向装置通信部１１１から送信された信号は、対向装置通信部３１１が受信し、セレクタ３３１に出力する。
【００４０】
また、二重化ＳＤＨ装置１００は実行状態にあるので、セレクタ１３２は、分岐部１２３からの信号をオーバヘッド挿入部１６２に出力する。オーバヘッド挿入部１６２は、セレクタ１３２からの信号を冗長ペア通信部１１２に出力し、冗長ペア通信部１１２は、当該信号を二重化ＳＤＨ装置２００に送信する。
冗長ペア通信部１１２から送信された信号は、冗長ペア通信部２１２が受信し、オーバヘッド監視部２６１、分岐器２２２、セレクタ２３１の順に伝送される。ここで、二重化ＳＤＨ装置２００は待機状態にあるので、セレクタ２３１は、分岐器２２２からの信号を対向装置通信部２１１に出力する。対向装置通信部２１１は、セレクタ２３１からの信号を、ＳＤＨ装置３００に送信する。
対向装置通信部２１１から送信された信号は、対向装置通信部３１２が受信してセレクタ３３１に出力する。
セレクタ３３１は、対向装置通信部３１１からの信号と、対向装置通信部３１２からの信号とに対してエラーチェックを行い、いずれかエラーを検出しないほうの信号を外部装置通信部３１３に出力する。外部装置通信部３１３は、セレクタ３３１からの信号を、外部装置７００に送信する。
【００４１】
このように、外部装置６００から送信された信号は、二重化ＳＤＨ装置１００、通信路Ｗ１３、ＳＤＨ装置３００の順に送信される経路と、二重化ＳＤＨ装置１００、通信路Ｗ１２、二重化ＳＤＨ装置２００、通信路Ｗ２３、ＳＤＨ装置３００の順に送信される経路とを用いて二重に送信される。
この、二重化ＳＤＨ装置１００、通信路Ｗ１３、ＳＤＨ装置３００の順に送信される経路は、図１で説明した、二重化ＳＤＨ装置１００および２００と、ＳＤＨ装置３００と、通信路Ｗ２１、Ｗ１３およびＷ３２とで形成するリング型ネットワークの一部をなす。また、二重化ＳＤＨ装置１００、通信路Ｗ１２、二重化ＳＤＨ装置２００、通信路Ｗ２３、ＳＤＨ装置３００の順に送信される経路は、図１で説明した、二重化ＳＤＨ装置１００および２００と、ＳＤＨ装置３００と、通信路Ｗ１２、Ｗ２３およびＷ３１とで形成するリング型ネットワークの一部をなす。
すなわち、ＳＤＨネットワーク１は、外部装置６００と外部装置７００との間の通信信号を複製し、これら２つのリングにて伝送することによりプロテクション機能を実現している。
【００４２】
次に、図７および図８を参照して、二重化ＳＤＨ装置１００に障害が発生した際の障害情報および制御情報の流れについて説明する。なお、図７と図８とは、図を見易くするために別図にしたものであり、時間的順序を示すものではない。すなわち、図８に示される情報の一部が、図７に示される情報の一部よりも先に、あるいは同時に出力されてもよい。
図７は、外部装置通信部１１３に障害が発生した際の、障害情報の流れを示す図である。
障害情報生成部１７１は、外部装置通信部１１３の障害の有無を随時監視しており、外部装置通信部１１３の障害を検出すると、障害発生を示す障害情報を生成して、状態決定部１７３と、障害情報通信部１７２とオーバヘッド挿入部１６２とに出力する。
障害情報通信部１７２は、障害情報生成部１７１からの障害情報を二重化ＳＤＨ装置２００に送信する。障害情報通信部１７２から送信された障害情報は、障害情報通信部２７２が受信して状態決定部２７３に送信する。
また、オーバヘッド挿入部１６２は、障害情報生成部１７１からの障害情報を、セレクタ１３２からのＳＤＨ信号のオーバヘッド部分に挿入して冗長ペア通信部１１２に出力する。冗長ペア通信部１１２は、オーバヘッド挿入部１６２からの、障害情報の挿入されたＳＤＨ信号を、二重化ＳＤＨ装置２００に送信する。
冗長ペア通信部１１２から送信されたＳＤＨ信号は、冗長ペア通信部２１２が受信してオーバヘッド監視部２６１に出力する。オーバヘッド監視部２６１は、冗長ペア通信部２１２からのＳＤＨ信号のオーバヘッド部分から、二重化ＳＤＨ装置１００の状態情報を読み出して、状態決定部２７３に出力する。
このように、状態決定部２７３は、障害情報生成部１７１の生成する障害情報を２つの経路にて二重に取得する。これにより、状態決定部２７３は、一方の経路から障害情報を取得できない場合でも、他方の経路から障害情報を取得して、二重化ＳＤＨ装置２００の状態を決定できる。
【００４３】
図８は、外部装置通信部１１３に障害が発生した際の、制御情報（状態情報）の流れを示す図である。
まず、二重化ＳＤＨ装置１００について見ると、状態決定部１７３は、予め設定されたＡＣＴ優先度情報と、障害情報生成部１７１が生成する二重化ＳＤＨ装置１００の障害情報と、障害情報生成部２７１が生成する二重化ＳＤＨ装置２００の障害情報とに基づいて、二重化ＳＤＨ装置１００の状態を決定する。ここでは、二重化ＳＤＨ装置１００に障害が発生しており、二重化ＳＤＨ装置２００には障害が発生していないので、ＡＣＴ優先度情報にかかわらず二重化ＳＤＨ装置１００の状態を待機状態と決定する。そして、状態決定部１７３は、決定した状態を示す状態情報を生成して、セレクタ１３１および１３２と、外部装置通信部１１３とに出力する。
【００４４】
セレクタ１３１は、この状態情報に基づいて、対向装置通信部１１１に出力するＳＤＨ信号を選択する。これにより、セレクタ１３１は、二重化ＳＤＨ装置１００が実行状態にあるときは、二重化ＳＤＨ装置１００が外部装置６００から受信する信号を対向装置であるＳＤＨ装置３００に向けて伝送し、図８の状態のように、二重化ＳＤＨ装置１００が待機状態にあるときは、外部装置６００から二重化ＳＤＨ装置２００を経由して二重化ＳＤＨ装置１００が受信する信号を、対向装置３００に向けて伝送する。
同様に、セレクタ１３２は、状態決定部１７３からの状態情報に基づいて、オーバヘッド挿入部１６２に出力するＳＤＨ信号を選択する。これにより、セレクタ１３２は、二重化ＳＤＨ装置１００が実行状態にあるときは、二重化ＳＤＨ装置１００が外部装置６００から受信する信号を二重化ＳＤＨ装置２００に向けて伝送し、図８の状態のように、二重化ＳＤＨ装置１００が待機状態にあるときは、二重化ＳＤＨ装置１００が、対向装置であるＳＤＨ装置３００から受信する信号を、二重化ＳＤＨ装置２００に向けて伝送する。
また、二重化ＳＤＨ装置１００が待機状態にあることを示す状態情報は、外部装置通信部１１３に対してはシャットダウン指令として作用し、外部装置通信部１１３は、この状態信号を受けてシャットダウンする。ここでいうシャットダウンとは、外部装置６００との間で通信を行わない状態となることである。
【００４５】
次に、二重化ＳＤＨ装置２００について見ると、状態決定部２７３は、予め設定されたＡＣＴ優先度情報と、障害情報生成部１７１が生成する二重化ＳＤＨ装置１００の障害情報と、障害情報生成部２７１が生成する二重化ＳＤＨ装置２００の障害情報とに基づいて、二重化ＳＤＨ装置１００の状態を決定する。ここでは、二重化ＳＤＨ装置１００に障害が発生しており、二重化ＳＤＨ装置２００には障害が発生していないので、ＡＣＴ優先度情報にかかわらず二重化ＳＤＨ装置２００の状態を待機状態と決定する。そして、状態決定部２７３は、決定した状態を示す状態情報を生成して、セレクタ２３１および２３２と、外部装置通信部２１３とに出力する。
【００４６】
セレクタ２３１は、この状態情報に基づいて、対向装置通信部２１１に出力するＳＤＨ信号を選択する。これにより、セレクタ２３１は、図８の状態のように、二重化ＳＤＨ装置２００が実行状態にあるときは、二重化ＳＤＨ装置２００が外部装置６００から受信する信号を対向装置であるＳＤＨ装置３００に向けて伝送し、一方、二重化ＳＤＨ装置２００が待機状態にあるときは、外部装置６００から二重化ＳＤＨ装置１００を経由して二重化ＳＤＨ装置２００が受信する信号を、対向装置３００に向けて伝送する。
同様に、セレクタ２３２は、状態決定部２７３からの状態情報に基づいて、オーバヘッド挿入部２６２に出力するＳＤＨ信号を選択する。これにより、セレクタ２３２は、図８の状態のように、二重化ＳＤＨ装置２００が実行状態にあるときは、二重化ＳＤＨ装置２００が外部装置６００から受信する信号を二重化ＳＤＨ装置１００に向けて伝送し、一方、二重化ＳＤＨ装置２００が待機状態にあるときは、二重化ＳＤＨ装置２００が、対向装置であるＳＤＨ装置３００から受信する信号を、二重化ＳＤＨ装置１００に向けて伝送する。
また、二重化ＳＤＨ装置２００が実行状態にあることを示す状態情報は、外部装置通信部２１３に対しては起動指令として作用し、外部装置通信部２１３は、この状態信号を受けて起動して外部装置６００と通信可能となる。
【００４７】
次に、図９および図１０を参照して、二重化ＳＤＨ装置２００が実行状態にある（したがって、二重化ＳＤＨ装置１００は待機状態にある）場合の、通信信号の経路について説明する。
図９は、二重化ＳＤＨ装置２００が実行状態にある場合に、外部装置７００から外部装置６００に送信される信号の経路を示す図である。
外部装置７００から外部装置６００宛ての信号が送信されると、外部装置通信部３１３が当該信号を受信して分岐器３２１に出力する。分岐器３２１は、外部装置通信部３１３からの信号を複製して対向装置通信部３１１と３１２とに出力し、対向装置３１１と３１２とは、分岐器３２１からの信号を各々二重化ＳＤＨ装置１００と二重化ＳＤＨ装置２００とに送信する。
対向装置通信部３１２から送信される信号は、対向装置通信部２１１が受信して、分岐器２２１に出力する。分岐器２２１は、対向装置通信部２１１からの信号をセレクタ２３３（とセレクタ２３２と）に出力する。
【００４８】
一方、対向装置通信部３１１から送信される信号は、対向装置通信部１１１が受信し、分岐器１２１、セレクタ１３２の順に伝送される。ここで、二重化ＳＤＨ装置１００は待機状態にあるので、セレクタ１３２は、分岐器１２１からの信号をオーバヘッド挿入部１６２に出力する。オーバヘッド挿入部１６２は、セレクタ１３２からの信号を冗長ペア通信部１１２に出力し、冗長ペア通信部１１２は、当該信号を二重化ＳＤＨ装置２００に送信する。
冗長ペア通信部１１２から送信される信号は、冗長ペア通信部２１２が受信し、オーバヘッド監視部２６１、分岐器２２２、セレクタ２３３の順に伝送される。
セレクタ２３３は、分岐器２２１からのＳＤＨ信号と、分岐器２２２からのＳＤＨ信号とに対してエラーチェックを行い、いずれかエラーを検出しないほうのＳＤＨ信号を外部装置通信部２１３に出力する。外部装置通信部２１３は、セレクタ２３３からの信号を、外部装置６００に送信する。
【００４９】
このように、外部装置７００から送信された信号は、ＳＤＨ装置３００、通信路Ｗ３２、二重化ＳＤＨ装置２００の順に送信される経路と、ＳＤＨ装置３００、通信路Ｗ３１、二重化ＳＤＨ装置１００、通信路Ｗ１２、二重化ＳＤＨ装置２００の順に送信される経路とを用いて二重に送信される。
この、ＳＤＨ装置３００、通信路Ｗ３２、二重化ＳＤＨ装置２００の順に送信される経路は、図１で説明した、二重化ＳＤＨ装置１００および２００と、ＳＤＨ装置３００と、通信路Ｗ２１、Ｗ１３およびＷ３２とで形成するリング型ネットワークの一部をなす。また、ＳＤＨ装置３００、通信路Ｗ３１、二重化ＳＤＨ装置１００、通信路Ｗ１２、二重化ＳＤＨ装置２００の順に送信される経路は、図１で説明した、二重化ＳＤＨ装置１００および２００と、ＳＤＨ装置３００と、通信路Ｗ１２、Ｗ２３およびＷ３１とで形成するリング型ネットワークの一部をなす。
すなわち、ＳＤＨネットワーク１は、外部装置６００と外部装置７００との間の通信信号を複製し、これら２つのリングにて伝送することによりプロテクション機能を実現している。
【００５０】
図１０は、二重化ＳＤＨ装置２００が実行状態にある場合に、外部装置６００から外部装置７００に送信される信号の経路を示す図である。
外部装置６００から外部装置７００宛ての信号が送信されると、外部装置通信部２１３が当該信号を受信して分岐器２２３に出力する。分岐器２２３は、外部装置通信部２１３からの信号を複製してセレクタ２３１とセレクタ２３２とに出力する。
ここで、二重化ＳＤＨ装置２００は実行状態にあるので、セレクタ２３１は、分岐部２２３からの信号を対向装置通信部２１１に出力する。対向装置通信部２１１は、セレクタ２３１からの信号をＳＤＨ装置３００に送信する。
対向装置通信部２１１から送信された信号は、対向装置通信部３１２が受信し、セレクタ３３１に出力する。
【００５１】
また、二重化ＳＤＨ装置２００は実行状態にあるので、セレクタ２３２は、分岐部２２３からの信号をオーバヘッド挿入部２６２に出力する。オーバヘッド挿入部２６２は、セレクタ２３２からの信号を冗長ペア通信部２１２に出力し、冗長ペア通信部２１２は、当該信号を二重化ＳＤＨ装置１００に送信する。
冗長ペア通信部２１２から送信された信号は、冗長ペア通信部１１２が受信し、オーバヘッド監視部１６１、分岐器１２２、セレクタ１３１の順に伝送される。ここで、二重化ＳＤＨ装置１００は待機状態にあるので、セレクタ１３１は、分岐器１２２からの信号を対向装置通信部１１１に出力する。対向装置通信部１１１は、セレクタ１３１からの信号を、ＳＤＨ装置３００に送信する。
対向装置通信部１１１から送信された信号は、対向装置通信部３１１が受信してセレクタ３３１に出力する。
セレクタ３３１は、対向装置通信部３１１からの信号と、対向装置通信部３１２からの信号とに対してエラーチェックを行い、いずれかエラーを検出しないほうの信号を外部装置通信部３１３に出力する。外部装置通信部３１３は、セレクタ３３１からの信号を、外部装置７００に送信する。
【００５２】
このように、外部装置６００から送信された信号は、二重化ＳＤＨ装置２００、通信路Ｗ２３、ＳＤＨ装置３００の順に送信される経路と、二重化ＳＤＨ装置２００、通信路Ｗ２１、二重化ＳＤＨ装置１００、通信路Ｗ１３、ＳＤＨ装置３００の順に送信される経路とを用いて二重に送信される。
この、二重化ＳＤＨ装置２００、通信路Ｗ２３、ＳＤＨ装置３００の順に送信される経路は、図１で説明した、二重化ＳＤＨ装置１００および２００と、ＳＤＨ装置３００と、通信路Ｗ１２、Ｗ２３およびＷ３１とで形成するリング型ネットワークの一部をなす。また、二重化ＳＤＨ装置２００、通信路Ｗ２１、二重化ＳＤＨ装置１００、通信路Ｗ１３、ＳＤＨ装置３００の順に送信される経路は、図１で説明した、二重化ＳＤＨ装置１００および２００と、ＳＤＨ装置３００と、通信路Ｗ２１、Ｗ１３およびＷ３２とで形成するリング型ネットワークの一部をなす。
すなわち、ＳＤＨネットワーク１は、外部装置６００と外部装置７００との間の通信信号を複製し、これら２つのリングにて伝送することによりプロテクション機能を実現している。
【００５３】
以上のように、二重化ＳＤＨ装置１００と２００とで冗長ペア１０を構成し、セレクタ１３１と１３２と２３１と２３２とが、二重化ＳＤＨ装置の状態に応じてＳＤＨ信号を選択することにより、二重化ＳＤＨ装置自身に障害が発生した場合や、二重化ＳＤＨ装置と外部装置との間の通信路に障害が発生した場合にもプロテクション機能を維持して伝送サービスを継続できる。
また、二重化ＳＤＨ装置１００と２００とは、障害情報通信部を用いて障害情報を通信し、また、ＶＣパス信号のオーバヘッド部分に障害情報を挿入して通信する。このように、障害情報を二重に送信するので、障害情報通信部またはオーバヘッド挿入部に障害が発生するなど、いずれかの手段による障害情報の通信が行えなくなった場合でも、他の手段により通信される障害情報を用いて二重化ＳＤＨ装置の状態を決定できる。
【００５４】
また、オーバヘッド挿入部１６２および２６２が、ＶＣパス信号のオーバヘッド部分に障害情報を挿入して通信するので、障害情報を通信するために新たに通信手段を設ける必要が無く、装置構成を簡単にできる。
また、二重化ＳＤＨ装置１００と２００とは、当該二重化ＳＤＨ装置が待機状態にあるときは、外部装置通信部をシャットダウンして外部装置６００との間で通信を行わないようにするので、外部装置６００は、二重化ＳＤＨ装置１００と２００とのうちいずれか一方のみと通信すればよい。したがって、二重化ＳＤＨ装置１００と２００との両方から信号を受信し、エラーチェックを行っていずれかの信号を選択する負荷や、二重化ＳＤＨ装置１００と２００と両方に対して送信を行う負荷を負わないで済む。
【００５５】
なお、二重化ＳＤＨ装置１００および２００の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００５６】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５７】
１  ＳＤＨネットワーク
１００、２００  二重化ＳＤＨ装置
３００  ＳＤＨ装置
１１１、２１１、３１１、３１２  対向装置通信部
１１２、２１２  冗長ペア通信部
１１３、２１３、３１３  外部装置通信部
１２１、１２２、１２３、２２１、２２２、２２３、３２１  分岐器
１３１、１３２、１３３、２３１、２３２、２３３、３３１  セレクタ
１６１、２６１  オーバヘッド監視部
１６２、２６２  オーバヘッド挿入部
１７１、２７１  障害情報生成部
１７２、２７２  障害情報通信部
１７３、２７３  状態決定部１７３
【図１】
0005644226.tif 000002
【図２】
0005644226.tif 000003
【図３】
0005644226.tif 000004
【図４】
0005644226.tif 000005
【図５】
0005644226.tif 000006
【図６】
0005644226.tif 000007
【図７】
0005644226.tif 000008
【図８】
0005644226.tif 000009
【図９】
0005644226.tif 000010
【図１０】
0005644226.tif 000011
【図１１】
0005644226.tif 000012
【図１２】
0005644226.tif 000013